Podtech/llm-jp-corpus-v4-ja_patent huggingface dataset:
(57)【特許請求の範囲】
【請求項１】
一軸型コンバインドサイクルパワープラント（１０）であって、
軸（３０）を有していて、この軸上には順番に、
ガスタービン（１２）、
第１のスラスト軸受（２４）、
中圧蒸気タービン（１４）、
低圧蒸気タービン（１６）、
発電機（２０）、
たわみ継手（２２）、
第２のスラスト軸受（２５）、及び
高圧蒸気タービン（１８）
が配置され、前記ガスタービン（１２）と前記高圧蒸気タービン（１８）とが前記軸の両端部に位置している、一軸型コンバインドサイクルパワープラント（１０）。
【発明の詳細な説明】
【技術分野】
【０００１】
本開示は、主として一軸型コンバインドサイクルパワープラントに関し、より詳しくは、大容量タービンに特に適したタービン軸配列に関する。
【背景技術】
【０００２】
コンバインドサイクル一軸型パワープラントにおいて、軸上のタービンと発電機の最良の配置を決定するうえでのキーとなるパラメータは、軸トルクの考察、コンバインドサイクルパワープラントの典型的な構成要素である排熱回収ボイラのレイアウトと構成、及び設置面積を含む。
【０００３】
大きなガスタービンの有効性に伴い、既存のクラッチ及び軸受構成要素に制限が生じる場合があり、従って結果として、代替となるタービン軸配列を開発する新たな必要性が生じる場合があろう。
【０００４】
１つの解決手段は、蒸気タービン列をガスタービンと発電機との間に配置することを含む。この解決手段の限界は、高トルクが高圧蒸気タービンを介して伝達されることである。
【０００５】
別の解決手段は、ガスタービンと蒸気タービンとの間に発電機を配置し、これらの間に同期式自動嵌脱クラッチ（ＳＳＳクラッチ）を取り付けることを含む。設置によっては、このようなクラッチは使用することはできない場合がある。
【発明の概要】
【発明が解決しようとする課題】
【０００６】
少なくとも、大型の高出力タービンの代替的構成を提供することができる一軸型コンバインドサイクルパワープラントのタービン装置が設けられていて、この場合、同期式自動嵌脱クラッチ又は発電機励磁機軸における機械的制限により、同期式自動嵌脱クラッチ又は発電機励磁機軸を介して軸配列から伝達される出力を制限することが所望される場合がある。
【課題を解決するための手段】
【０００７】
この問題は、独立請求項の主題である手段によって対処される。好適な実施態様は従属請求項に記載されている。
【０００８】
一態様では、一軸型コンバインドサイクルパワープラントは１つの軸を有していて、この軸上には順番に、ガスタービン、中圧蒸気タービン、低圧蒸気タービン、発電機、励磁機軸、高圧蒸気タービンが配置されている。
【０００９】
さらなる態様は、ガスタービンと中圧蒸気タービンとの間で軸上に第１のスラスト軸受を有している。発電機励磁機と高圧蒸気タービンとの間で軸上にある第２のスラスト軸受も配置されていて、この第２のスラスト軸受は、熱膨張を補償するためにその間にたわみ継手を必要とする。この態様は、蒸気タービンの起動のために予備のボイラを必要とすることが予測される。
【００１０】
たわみ継手は、中圧蒸気タービン、低圧蒸気タービンの起動用の比較的小さい予備のボイラを伴う比較的小さいサイズの同期式自動嵌脱クラッチと置き換えることができる。
【００１１】
本開示の別の態様及び利点は、本発明の実施態様を例として示した図面に関する以下の記載により明らかとなろう。
【００１２】
以下に、一例として、本開示の実施態様を添付の図面につきさらに詳しく説明する。
【図面の簡単な説明】
【００１３】
【図１】開示の１つの実施の形態による一軸型コンバインドサイクルパワープラントの概略図である。
【００１４】
詳細な説明
本開示の典型的な実施の形態を図面につき説明するが、この場合、全体にわたって同じ参照符号は同じ要素を示すために使用されている。以下の記載では、説明の目的で、幾つかの特定の詳細が、本開示の完全な理解を提供するために説明されている。しかしながら本開示は、これらの特定の詳細なしでも実施されてよく、ここに記載した実施の形態に限定されるものではない。
【００１５】
記述全体にわたり、蒸気タービンの圧力名称は、その相対的な入口の体積流量を定義している。従って、高圧蒸気タービン１８は中圧蒸気タービン１４よりも低い相対的な入口の体積流量を有しており、中圧蒸気タービン１４は低圧蒸気タービン１６よりも低い入口の体積流量を有している。
【００１６】
図１には、一軸型コンバインドサイクルパワープラント１０の実施態様の例が示されている。軸３０上には、ガスタービン１２、中圧蒸気タービン１４、低圧蒸気タービン１６、発電機２０、及び高圧蒸気タービン１８が存在しており、順番に軸３０上に配置されている。この文脈では、「順番に」とは、中圧蒸気タービン１４がガスタービン１２と低圧蒸気タービン１６との間に位置し、低圧蒸気タービン１６が中圧蒸気タービン１４と発電機２０との間に位置し、発電機２０が低圧蒸気タービン１６と高圧蒸気タービン１８との間に位置し、ガスタービン１２と高圧蒸気タービン１８とは軸３０の両端部に位置していることを意味する。
【００１７】
さらなる実施態様では、スラスト軸受２４がガスタービン１２と中圧蒸気タービン１４との間で軸３０上に配置されていて、別のスラスト軸受２５が発電機２０と高圧蒸気タービン１８との間で軸３０上に配置されている。
【００１８】
別の実施態様では、たわみ継手２２が発電機２０と高圧蒸気タービン１８との間で、かつ／又は発電機２０と第２のスラスト軸受２５との間で軸３０上に配置されている。
【００１９】
本開示は、最も実用的な実施態様であると考えられるものを本明細書に示し説明してきたが、他の特定の形態で実施することができる。例えば、コンバインドサイクルパワープラントは、この一軸上に位置するのではない付加的な蒸気タービンを含むことができ、この場合、高圧蒸気タービン１８は、コンバインドサイクルパワープラントに配置された最も高圧の蒸気タービンであっても良く、またはそうでなくても良い。したがって、ここに開示された実施の形態は、全ての側面において、例示的であり、制限されるものでないと考えられる。本開示の範囲は、添付の請求項に示されていて、請求項の意味と範囲と等価のもののうちにある前記説明と全ての変化形は、本発明に含まれる。
【符号の説明】
【００２０】
１０  コンバインドサイクルパワープラント
１２  ガスタービン
１４  中圧蒸気タービン
１６  低圧蒸気タービン
１８  高圧蒸気タービン
１９  凝縮器
２０  発電機
２２  たわみ継手
２４，２５  スラスト軸受
３０  軸
【図１】
0006696788.tif 000002
(57)【特許請求の範囲】
【請求項１】
複数枚の紙又は複数枚の一端開口の袋体をそれらの一側縁で綴じて束ねた本体と、この本体を挟む表表紙及び裏表紙とを備えた冊子の前記表表紙及び裏表紙の外面を覆うポータブルカバーにおいて、
１枚のシートをその中間部で半割りし、前記シートの両端部を前記表表紙及び裏表紙の夫々一部を嵌合する袋状に形成しており、前記カバーが装着された前記冊子を、肩から掛けるのに十分な長さのショルダーベルトを、前記シートの半割り部に取り付け、
前記ショルダーベルトは、前記シートへの取付部から、前記カバーの裏側に回り込んで前記取付部間を連絡する連絡部を有し、
前記カバーが前記冊子に装着されたときに、前記連絡部が前記本体と前記表表紙又は前記裏表紙との間に挟まれることを特徴とするポータブルカバー。
【発明の詳細な説明】
【技術分野】
【０００１】
本発明は、本又はファイルの外面を覆うカバーにおいて、携帯性と利便性を
向上させたポータブルカバーに関するものである。
【背景技術】
【０００２】
従来のブックカバーは、その両端部の嵌合部に、本の表表紙及び裏表紙の一部を嵌合させて、本の外面を覆うことにより、本を保護する。また、ファイルは、一端縁が開口した複数枚の袋体を、それらの一側縁で綴じて束ね、この束の表裏両面を、夫々表表紙及び裏表紙で重ねた構造を有する。このファイルは、その袋体内に書類を出し入れ自在に装入して、この書類を分別した状態で保存可能にするものである。このファイルにおいても、その表表紙及び裏表紙の一部を嵌合させて、ファイルの外面を覆うことにより、ファイルを保護する。
【先行技術文献】
【特許文献】
【０００３】
【特許文献１】実開平７−３７６５８公報
【発明の概要】
【発明が解決しようとする課題】
【０００４】
従来の本カバー又はファイルカバーは、本又はファイルを保護するという機能があるだけであった。このため、本又はファイルを持ち歩く際は、カバーをかけた本又はファイルを、カバン等に入れて、外部に持ち出すことが必要であった。
本発明の目的は、本又はファイルを、カバン等に入れて持ち運ぶのではなく、即座に取り出して使用することができる状態で持ち運ぶことができるようにしたポータブルカバーを提供することにある。
【課題を解決するための手段】
【０００５】
複数枚の紙又は複数枚の一端開口の袋体をそれらの一側縁で綴じて束ねた本体と、この本体を挟む表表紙及び裏表紙とを備えた冊子の前記表表紙及び裏表紙の外面を覆うポータブルカバーにおいて、１枚のシートをその中間部で半割りし、前記シートの両端部を前記表表紙及び裏表紙の夫々一部を嵌合する袋状に形成し、前記カバーが装着された前記冊子を、肩から掛けるのに十分な長さのショルダーベルトを、前記シートの半割り部に取り付ける。
前記ショルダーベルトは、前記シートへの取付部から、前記カバーの裏側に回り込んで前記取付部間を連絡する連絡部を有し、前記カバーが前記冊子に装着されたときに、前記連絡部が前記本体と前記表表紙又は前記裏表紙との間に挟まれている。
前記シートの前記表表紙に対応する部分又は前記裏表紙に対応する部分に、前記冊子及び前記カバーをまとめて結束する弾性バンドを取付ける。
本発明は以上の構成よりなる携帯に便利な、本又はファイルのポータブルカバーである。
【発明の効果】
【０００６】
本又はファイルのカバーにショルダーベルトを取付けることで、本又はファ
イルを収納するかばん等を要することなく、体に直に身に着けて持ち運ぶことが可能となり、更に手元に所持することで、かばんを開けて中から取り出すという行為なく、容易に本またはファイルの中身を見ることが出来る。
【発明を実施するための形態】
【０００７】
以下、本発明を実施するための形態について説明する。
図1において、
複数枚の紙又は複数枚の一端開口の袋体をそれらの一側縁で綴じて束ねた本体と、この本体を挟む表表紙及び裏表紙とを備えた冊子の前記表表紙及び裏表紙の外面を覆うカバー１を作成する。
前記カバー１は、１枚のシートをその中間部で半割りし、前記シートの両端部を前記表表紙及び裏表紙の夫々一部を嵌合する袋状に形成し、前記カバー１が装着された前記冊子を、肩から掛けるのに十分な長さのショルダーベルト２を、前記シートの半割り部に取り付ける。
更に、前記シートの前記表表紙に対応する部分又は前記裏表紙に対応する部分に、前記冊子及び前記カバー１をまとめて結束する弾性バンド３を取付ける。この弾性バンド３は冊子が開く側の際より、5ｃｍ程度離れた位置への取付けが、使い勝手が良く望ましい。
図2において、
前記ショルダーベルト２は、前記シートへの取付部から、前記カバーの裏側に回り込んで前記取付部間を連絡する連絡部を有し、前記カバー１が前記冊子に装着されたときに、前記連絡部が前記本体と前記表表紙又は前記裏表紙との間に挟まれている。
図3において、
前記ショルダーベルト２には、長さの調節が可能な機能を有するコードロック４が通っている。
図４において、
前記本又は前記ファイルの、表表紙の先端及び裏表紙の先端部を嵌め込む１対の嵌合部において、嵌合部の面積は、表表紙及び裏表紙の面積に対して７割程度であることが、前記本又は前記ファイルが外れることなく、また、前記本又は前記ファイルへの装着の容易さにおいて適当である。
本発明は以上のような構成である。
ショルダーベルト２が付いたポータブルカバー１を本又はファイルに装着することで、かばん等に収納することなく、本又はファイルを保護しながら持ち歩くことが出来る携帯性と、体に直に身に着けることで、見たい時にすぐ手に取って見ることが出来るという利便性を兼ね備えている。
（実施例）旅行の際、ガイドブックやパンフレットを入れたファイルなどの冊子に、ポータブルカバーを装着すると、冊子をかばんから出し入れする手間が省けて、必要な時にすぐ冊子の中身を見ることが出来るので、観光に便利である。
仕事の現場で、必要な資料をすぐに提示できる。
電車やバスでの移動中に勉強する際、教科書や資料を入れたファイルのかばんへの出し入れが必要ないので、乗り物の乗降に支障をきたさない。
【図面の簡単な説明】
【０００８】
【図１】本発明の斜視図である。
【図２】本発明のショルダーベルトの取り付け位置に関する詳細図である。
【図３】本発明のショルダーベルト長さ調節についての詳細図である。
【図４】本発明のカバーの嵌合部についての詳細図である
【図５】本発明の本に装着時の斜視図である。
【図６】本発明のファイル装着時の斜視図である。
【符号の説明】
【０００９】
１  カバー
２  ショルダーベルト
３  弾性バンド
４  コードロック
【図１】
0006647735.tif 000002
【図２】
0006647735.tif 000003
【図３】
0006647735.tif 000004
【図４】
0006647735.tif 000005
【図５】
0006647735.tif 000006
【図６】
0006647735.tif 000007
(57)【特許請求の範囲】
【請求項１】
正面側に植毛を施す溝が横方向に形成された頭部本体に、帽子状の頭頂部体を被せた人形の頭部において、
前記頭部本体の正面中央縦断面において、溝の上側内壁の高さを溝の下側内壁の高さよりも低くし、溝の下側内壁の上縁部に前記頭頂部体の前方縁が係止できるようにした、
人形の頭部。
【請求項２】
頭部本体に頭頂部体を装着したときに、正面部分において、溝の下側内壁の上縁と頭頂部体の前縁の間に段差が生じないようにした、
請求項１に記載の人形の頭部。
【発明の詳細な説明】
【技術分野】
【０００１】
この発明は、主として節句人形の頭部に使用されるものであり、具体的には、正面側に植毛を施す溝が形成された頭部本体に、帽子状の頭頂部体を被せて頭部を形成するようにした、人形の頭部に関するものである。
【背景技術】
【０００２】
頭部本体に溝を設け、この溝に植毛を施した後に帽子状の頭頂部体を被せて人形の頭部を形成する手法は、節句人形の伝統的な手法として採用されている。
頭部本体に、植毛を施した帽子状の頭頂部体を装着した人形の頭部に関し、以下の特許文献が存在するが、いずれも頭部本体に設けられた溝は頭頂部体を係止するための溝であり、溝に植毛を施すものではない。
【先行技術文献】
【特許文献】
【０００３】
【特許文献１】特開２０１３−２３６８６７号公報
【特許文献２】実開昭６１−４６９６号公報
【発明の概要】
【発明が解決しようとする課題】
【０００４】
ところで、従来から使用されている頭部本体の植毛用の溝１１は、頭部の表面を削り出して形成しており、頭部本体Ａ’の正面中央断面において、溝の上側内壁１２の上縁と、溝の下側内壁１３の上縁とは、おでこ部分の曲線の延長線上に位置し、溝の上側内壁１２と下側内壁１３とは同じ高さ（壁の上下寸法）であった。そのために、頭頂部体Ｂ’はおでこ部分の曲線に沿って装着される。すなわち、頭頂部体の前方縁は溝の下側内壁の上縁から突出して装着される。
そのために、溝に植毛された頭髪が不自然に盛り上がってしまい、特に小型の人形においては頭髪の盛り上がりが一層目立つことになる。
この発明は、溝に植毛された頭髪の不自然な盛り上がりを解消することを課題とするものである。
【課題を解決するための手段】
【０００５】
この発明は、正面側に植毛を施す溝が横方向に形成された頭部本体に、帽子状の頭頂部体を被せた人形の頭部において、前記頭部本体の正面中央縦断面において、溝の上側内壁の高さが、溝の下側内壁の高さよりも低いものとし、溝の下側内壁に前記頭頂部体の前方縁が係止できるようにすることにより、上記課題を解決するものである。
上記において、頭部本体に頭頂部体を装着したときに、正面部分において、溝の下側内壁の上縁と頭頂部体の上面との間に段差が生じないようにすることが好ましい。
【発明の効果】
【０００６】
この発明において、頭部本体の正面中央縦断面において、溝の上側内壁の高さが、溝の下側内壁の高さよりも低い、すなわち溝の下側内壁の上縁部に前記頭頂部体の前方縁が係止できるようにしてある。
そのために、頭部本体に被せた頭頂部体の前方縁の全部又は一部が溝の中に収納され、頭頂部体の前方上面の溝の下側内壁の上縁からの突出量を抑制することができ、溝に植毛された頭髪の盛り上がりを減少させることができる。
【図面の簡単な説明】
【０００７】
【図１】この発明実施例の頭部本体の正面中央縦断面図
【図２】同じく溝部分の拡大図
【図３】同じく、頭部本体に頭頂部体を被せた状態の正面中央縦拡大断面図
【図４】同じく、頭部本体の斜視図
【図５】同じく、植毛を施した頭部の正面中央縦拡大断面図
【図６】従来の頭部本体の溝部分の正面中央縦拡大断面図
【図７】従来の頭部の植毛を施した正面中央縦拡大断面図
【図８】この発明の実施例を使用した人形の頭部の側面図
【図９】従来の人形頭部の側面図
【発明を実施するための形態】
【０００８】
以下この発明の実施例を説明する。
【０００９】
頭部本体Ａと、これに被さる帽子状の頭頂部体Ｂとで人形の頭部を構成する。
前記頭部本体Ａの正面側に、植毛を施す溝１が横方向に形成してある。この溝１は、正面中央縦断面において、溝１の上側内壁２の高さＨ１を、溝１の下側内壁３の高さＨ２よりも低くし、溝１の下側内壁３に,頭頂部体Ｂの前方縁４が係止できるようにしてある。
前記上側内壁２と下側内壁３の高さの差をどの程度とするかは、頭頂部体Ｂの厚みとの兼ね合いで決定されるが、頭部本体Ａに頭頂部体Ｂを装着したときに、正面中央部分において頭部本体Ａの溝１の下側内壁３の上縁３ａと頭頂部体Ｂの前方上面との間に段差が生じないことが望ましい。
【００１０】
前記頭頂部体Ｂの内面は、前記頭部本体Ａの溝１よりも上の部分に接する曲面としてある。
なお、前記頭部本体Ａ及び頭頂部体Ｂは石膏製であるが、素材は問わない。
【００１１】
この人形の頭部を使用しての頭部の組立手法は従来と同じである。すなわち、頭部本体Ａの溝１に植毛５を施し、植毛５に後方から突き当てるように頭頂部体Ｂを頭部本体Ａに被せて装着する。
ここで、溝１の上側内壁２の高さＨ１を、溝１の下側内壁３の高さＨ２よりも低くし、溝１の下側内壁３に,頭頂部体Ｂの前方縁４が係止できるようにしてあるので、植毛５が頭頂部体Ｂの厚みによって嵩上げされることはなく、不自然な盛り上がりが生じることもない。  
【産業上の利用可能性】
【００１２】
この発明は、髪が不自然に盛り上がることのない、実感的な人形を製造できるものであり、産業上の利用可能性を有するものである。
【符号の説明】
【００１３】
Ａ  頭部本体
Ｂ  頭頂部体
１  溝
２  溝の上側内壁
３  溝の下側内壁
４  頭頂部体の前方縁
５  植毛
【要約】
【課題】
この発明は、節句人形などの人形の頭部において、植毛用の溝に植毛された頭髪の不自然な盛り上がりを解消することを課題とするものである。
【解決手段】
この発明は、正面側に植毛を施す溝１が横方向に形成された頭部本体Ａに、帽子状の頭頂部体Ｂを被せた人形の頭部において、前記頭部本体Ａの正面中央縦断面において、溝１の上側内壁２の高さＨ１が、溝１の下側内壁３の高さＨ２よりも低いものとし、溝の下側内壁３に前記頭頂部体Ｂの前方縁４が係止できるようにして、人形の頭部を構成することにより、上記課題を解決するものである。
上記において、頭部本体Ａに頭頂部体Ｂを装着したときに、正面部分において、溝の下側内壁３の上縁と頭頂部体Ｂの上面との間に段差が生じないようにすることが好ましい。
【選択図】  図３【図１】
0006651073.tif 000002
【図２】
0006651073.tif 000003
【図３】
0006651073.tif 000004
【図４】
0006651073.tif 000005
【図５】
0006651073.tif 000006
【図６】
0006651073.tif 000007
【図７】
0006651073.tif 000008
【図８】
0006651073.tif 000009
【図９】
0006651073.tif 000010
(57)【特許請求の範囲】
【請求項１】
保護フレーム（１）に載置される安定化用支柱（２）を含むペットの汚物処理装置であって：前記安定化用支柱（２）の下部には、動物を装置に引きつけるフェロモン貯蔵容器（１０）が取り付けられ；前記保護フレーム（１）の上部には、病原菌を運ぶ細菌を除去して、尿のＰＨを減少させる吸収パッド（１２）及び濾過パッド（５）が取り付けられ；そこにおいて、前記保護フレーム（１）の底部には浸透性開口が配置され、周囲の領域の濾過された尿及び雨水を流し出すために用いられ；前記濾過パッド（５）の下側には、前記濾過パッド（５）の汚染のレベルを点検して前記濾過パッド（５）の交換を要求する信号を送るプローブ（１５）が配置され；前記安定化用支柱（２）には容器（８）を有するフレーム（６）が取り付けられ、そこにフンを入れるバッグ（７）が取り付けられ；前記バッグ（７）は、前記バッグ（７）の下部が前記容器（８）の中に入れられて設置され；前記バッグ（７）は、前記バッグ（７）の上部が前記フレーム（６）に取り付けられて、前記バッグ（７）の下部を覆うカバーとなり；前記安定化用支柱（２）にはまた、バッグ及び保護手袋で満たされた用品置き場（３）が取り付けられ；前記安定化用支柱（２）に載置されるのは、鎖を前記安定化用支柱（２）に固定するために用いられる要素（１４）であり；前記安定化用支柱（２）は、かなり長い結合ワイヤで前記安定化用支柱（２）に取り付けられるペットの汚物をすくうスコップ（１３）を備え；前記安定化用支柱（２）の上部においてプレート（４）が配置され、情報を広告する又は掲示するために用いることができ；前記プレート（４）の上には、再充電可能な電池及び照明装置（１１）に接続されて、前記ペットの汚物処理装置、及び、出入路又は歩道、あるいは、広告ボード又は情報絵文字の背景の照明のために用いられるソーラーパネル（９）が配置されることにおいて特徴付けられる、ペットの汚物処理装置。
【発明の詳細な説明】
【技術分野】
【０００１】
本発明は、主としてイヌ及び／又はネコを目的とするペットの汚物処理装置の構造設計に関する。
【背景技術】
【０００２】
現在、多くの人々は、ペットを連れて屋外、広場、及び、居住用住宅近くの公園を散歩する。これらの領域はフンや尿で汚染され、ペットが排泄した後きれいにするかどうかはそのペットの所有者次第である。動物はそのような場所に多くの排泄物を残し、周囲の領域に発生するその悪臭は非常に不快なものである。人間にとって害のある病原菌を運ぶ細菌も広がり、倍増してしまう。ある自治体では、イヌのフンを入れるバッグを有する容器を設置することで課題を解決しようとしている。
【発明の概要】
【発明が解決しようとする課題】
【０００３】
上に記載の欠点は、本発明による技術的な解決法によって取り除くことができる。
【課題を解決するための手段】
【０００４】
ペットの汚物処理装置は、保護フレームに載置される安定化用支柱を含む。支柱の下部には、動物を装置に引きつけるフェロモン貯蔵容器が取り付けられる。保護フレームの上部には、吸収パッドが取り付けられ；その吸収パッドの下側には、安定化用支柱の下部に濾過パッドが配置され、それが病原菌を運ぶ細菌を除去して、尿のＰＨを減少させる。フレームの底部には浸透性開口が配置され、周囲の領域の濾過された尿及び雨水を流し出すために用いられる。吸収パッドの下側には、濾過パッドの汚染のレベルを点検して、濾過パッドの交換を要求する信号を送るプローブが配置される。支柱には容器を有するフレームが取り付けられ、そこにフンを入れるバッグを取り付ける。バッグは、破れないように容器の中に配置される。バッグは、バッグ自体がカバーを提供して、雨も雪もバッグに入らないことを確実にするようにフレームに配置される。支柱にはまた、バッグ及び保護手袋で満たされた用品置き場が取り付けられる。支柱に載置されるのは、それを下に係止する可能性を有する鎖を支柱に固定するために用いられる要素である。支柱は、かなり長い結合ワイヤで支柱に取り付けられるペットの汚物をすくうスコップを備える。支柱の上部において、プレートが配置され、情報を広告する又は掲示するために用いることができる。プレートの上には、電池及び照明装置に接続されて、ペットの汚物処理装置、及び、出入路／経路又は歩道あるいは、広告ボード又は情報絵文字の背景の照明のために用いられるソーラーパネルが配置される。ソーラーパネルは、汚物処理装置の上からの雨水を閉じ込めて流し出す屋根としても役立つ。
【図面の簡単な説明】
【０００５】
【図１】図１は、ペットの汚物処理装置を示す。
【図２】図２は、バッグがフレームに取り付けられる方法を例示する。
【発明を実施するための形態】
【０００６】
ペットの汚物処理装置は、保護フレーム１に載置される安定化用支柱２を含む。支柱２の下部には、動物を装置に引きつけるフェロモン貯蔵容器１０が取り付けられる。保護フレーム１の上部には、吸収パッド１２が取り付けられ；その吸収パッド１２の下側には、安定化用支柱２の下部に濾過パッド５が配置され、それが病原菌を運ぶ細菌を除去して、尿のＰＨを減少させる。フレーム１の底部には浸透性開口が配置され、周囲の領域の濾過された尿及び雨水を流し出すために用いられる。濾過パッド５の下側には、濾過パッド５の汚染のレベルを点検して、濾過パッド５の交換を要求する信号を送るプローブ１５が配置される。支柱２には容器８を有するフレーム６が取り付けられ、そこにバッグ７を取り付ける。バッグ７は、バッグ７が破れないように容器８の中に配置される。バッグ７は、バッグ７自体がカバーを提供して、雨も雪もバッグ７に入らないことを確実にするようにフレーム６に配置される。支柱２にはまた、バッグ及び保護手袋で満たされた用品置き場３が取り付けられる。支柱２に載置されるのは、それを下に係止する可能性を有する鎖を支柱２に固定するために用いられる要素１４である。支柱２は、かなり長い結合ワイヤで支柱２に取り付けられるペットの汚物をすくうスコップ１３を備える。支柱２の上部において、プレート４が配置され、情報を広告する又は掲示するために用いることができる。プレート４の上には、再充電可能な電池及び照明装置１１に接続されて、ペットの汚物処理装置、及び、出入路／経路又は歩道あるいは、広告ボード又は情報絵文字の背景の照明のために用いられるソーラーパネル９が配置される。ソーラーパネル９は、汚物処理装置の上からの雨水を閉じ込めて流し出す屋根としても役立つ。
【図１】
0006648383.tif 000002
【図２】
0006648383.tif 000003
(57)【特許請求の範囲】
【請求項１】
溶接リングを製造する方法であって、リングの円周に対応する長さで両端部（１０，１１）を有するバンドが前記リングを形成するように曲げられて端部（１０，１１）で溶接され、一緒に溶接される前記バンドの前記端部（１０，１１）が前記リングの前記円周方向にＶ形状オフセット部（１２）を有し、前記Ｖ形状オフセット部（１２）が前記バンドの平面に所在し、
外側から内方へ前記リングの両方の側縁部（１３，１４）から溶接が直線状に実施され、前記溶接は突き合わせのバンド端部（１０，１１）のＶ形状の線に沿わず、前記Ｖ形状オフセット部（１２）を被覆するように溶接が直線状に実施されることを特徴とする方法。
【発明の詳細な説明】
【背景技術】
【０００１】
リング、いわゆるマルチクリンプリングは多様な手法で製造される。一つの周知の方法では、軸方向または螺旋状に溶接された筒体が所望の幅のリングに分割され、続いてこれがバリ除去される。この周知の方法の短所は、費用の理由から必要とされる高い最小製造量、これに対応した多様な直径の事例での低い柔軟性、そして筒体ブランクの高い在庫保管費用である。
【０００２】
代替的な製造方法では、所望のリング幅に対応するように直線または斜線に沿って切り取られたバリ除去後のバンドから、リング円周に対応する長さの区分が切断され、その端部が一緒に溶接される。
【０００３】
バンド端部を溶接する時に、溶接プロセスの開始時にはリングの縁部と同一平面の溶接部が得られる。しかしながら他方のリング縁部での溶接出口では、幾何学形状により縁部と同一平面にならないという結果が生じる。
【０００４】
曲げを受ける工作物の突合せ溶接の際には、外端部から始まる二つの部分的溶接で溶接を実行して中央領域で互いに重複させ、工作物の外側リムでの切欠きを回避することが、欧州特許出願公開第１７５２２４７号明細書から知られている。
【発明の概要】
【０００５】
本発明は、溶接リングを製造する同様の方法で発生するような欠点を少なくとも部分的に回避するという大まかな目的に関係している。より具体的な目的は、改良された溶接部を備える溶接リングが製造される方法を提供することにあると考えられる。
【０００６】
この目的は、一緒に溶接されるバンド端部においてリングの円周方向にオフセット部を設けることと、外側から内方へオフセット部までリングの両方の側縁部から溶接を実施することにより、良好に解決される。こうしてリングの両方の縁部では同一平面上の溶接部が作られる。オフセット部の結果、二つの溶接部が重複する時に、リングの中央から溶融物が流出する作用が軽減される。こうして、重複エリアでの高い溶接品質と高い引張強度とが達成される。
【図面の簡単な説明】
【０００７】
発明の実施形態が、図面を参照して以下でより詳しく説明される。
【図１】溶接リングを示す。
【図２】溶接前のリングの突合せ部の拡大図である。
【図３】溶接後のリングの突合せ部の拡大図である。
【図４】突合せ部が代替形状である図２および３と類似の図である。
【図５】突合せ部が代替形状である図２および３と類似の図である。
【図６】また異なる形状の突合せ部を含む類似の図である。
【図７】また異なる形状の突合せ部を含む類似の図である。
【発明を実施するための形態】
【０００８】
図１から３において、両方のバンド端部１０，１１が一緒に溶接される突合せ部は概ねＶ形状に形成される。Ｖ形状の頂点は突合せ部に不連続部またはオフセット部１２を形成し、両方のバンド縁部１３，１４の中間に形成される。
【０００９】
（レーザ）溶接プロセスでは、両方のバンド縁部１３，１４からオフセット部１２まで（Ｖ形状の頂点まで）溶接が実施される。オフセット部により、当該箇所の両方の部分的溶接部１５，１６の重複エリアでは高い溶接品質が達成される。オフセット部１２が単に大きい、つまりＶ形状の角度が単に小さいので、両方の突合せバンド端部１０，１１の間の制御された溶接接続部がこの箇所にも形成される。
【００１０】
図３に示されているように、溶接プロセスでのレーザは突合せバンド端部のＶ形状の線をたどらない。代わりに、各バンド縁部１３，１４から始まって直線状にバンドの中央まで進んであらゆる箇所の溶接部がＶ形状の突合せ部を被覆するように、溶接プロセスが実施される。
【００１１】
二つの溶接部１５，１６の重複箇所にオフセット部が無いとすると、突合せバンド端部に溶融プールが２回形成される。これは重複領域での溶接品質の低下を招く。オフセット部のため、溶接品質に対する二重溶融プールの作用が軽減され、より一定したものとなる。
【００１２】
図４および５の代替的実施形態では、両方のバンド端部１０，１１が一緒に溶接される突合せ部はバンドの平面に所在するステップ部１７を有し、ここでは一方のバンド端部１０の突出部分１８が他方のバンド端部１１の陥凹部分１９と対向している。ステップ部１７は両方のバンド縁部１３，１４の中間に形成される。
【００１３】
図６および７の実施形態は、一方のバンド端部１０の陥凹部２３が他方のバンド端部１１の相補的な突出部２４と係合するのでバンドの平面上でバンド縁部１３，１４の中間にオフセット部が形成されるという点で、上に説明したものと異なっている。
【図１】
0006799694.tif 000002
【図２】
0006799694.tif 000003
【図３】
0006799694.tif 000004
【図４】
0006799694.tif 000005
【図５】
0006799694.tif 000006
【図６】
0006799694.tif 000007
【図７】
0006799694.tif 000008
(57)【特許請求の範囲】
【請求項１】
うちわと、当該うちわを着脱自在に立て置きするための立設部とを有し、
前記うちわはうちわ本体部と、前記うちわ本体部に対して上下方向に配置した支持骨を有し、前記支持骨の下端側が前記立設部に差し込みにて立て置きするための柄部になっており、
前記うちわ本体部は先端側が末広がりで前後方向に波形状の弯曲部を有する帆形状であり、
前記立設部は底部側が重量部になっており、前記うちわの柄部を当該立設部に差し込んだ状態で前記うちわ本体部に風が当たると横方向に揺動可能であることを特徴とするうちわセット。
【発明の詳細な説明】
【技術分野】
【０００１】
本発明は、手で扇いで風を起こすうちわ（団扇）に関し、特にデザイン性に優れたうちわ形状と、このうちわを立て置きできるものに係る。
【背景技術】
【０００２】
従来のうちわは、扇部が略円形状であり、デザイン性に劣るものであっただけでなく、使用しないときには横に寝かせるようになるため、機能性にも劣っていた。
特許文献１，２には、自動的に立つ機能を有する団扇を開示するが、柄に錘を有するためにそのままうちわとして使用するには重く、実用的ではない。
【先行技術文献】
【特許文献】
【０００３】
【特許文献１】登録実用新案公報第３１９１３０７号公報
【特許文献２】登録実用新亜公報第３１９４２０５号公報
【発明の概要】
【発明が解決しようとする課題】
【０００４】
本発明は、デザイン性に優れ、うちわとして使用しないときには立設でき、機能性にも優れたうちわセット及びそのうちわの提供を目的とする。
【課題を解決するための手段】
【０００５】
本発明に係るうちわセットは、うちわと、当該うちわを着脱自在に立て置きするための立設部とを有することを特徴とする。
ここで立て置きするための立設部とは、うちわで風を起こすための道具として使用しないときには、うちわを立てた状態で仮置きできる台部をいう。
従って、立てて置くことができれば立設部の構造に制限がなく、例えば、うちわはうちわ本体部と、前記立設部に差し込み等にて仮置きするための連結部を有する態様が例として挙げられる。
【０００６】
本発明においては、立設部は底部側が重量部になっており、前記うちわを連結した状態で横方向に揺動可能であってもよく、さらに立設部は揺れることで音が鳴るものであってもよい。
【０００７】
本発明においては、うちわの形状にも特徴があり、請求項１〜４のいずれかに使用されるうちわであって、うちわは先端側が末広がりの帆形状であり、前後方向に波形状の弯曲面を有する。
【発明の効果】
【０００８】
本発明は、うちわとこのうちわを立て置きできる立設部とを着脱自在にしたので、うちわとして使用するときは軽く、使用しないときには立設部に立て置きできるので、うちわを使用しないときは置物としての機能を有することになる。
【図面の簡単な説明】
【０００９】
【図１】本発明に係るうちわセットの例を示し、（ａ）はうちわを立設部から分離した状態、（ｂ）はうちわを立設部に立て置きした状態を示す。
【図２】うちわ本体部に上下方向の支持骨を有する例を示す。
【図３】うちわの外形を示し、（ａ）は平面図、（ｂ）は正面図、（ｃ）は底面図、（ｄ）は側面図、（ｅ）は背面図を示す。
【図４】うちわの外観斜視図を示す。
【図５】立設部の構造例を示す。（ａ）は立設部の底部に重量部を設けた例、（ｂ）は立設部の内部に転動体を配置した例、（ｃ）は立設部の内部に打りん玉を吊り下げた例を示す。
【発明を実施するための形態】
【００１０】
本発明に係るうちわセット及び、そのうちわを以下図面に基づいて説明するが、本発明はこれに限定されない。
【００１１】
本発明は、うちわ１０の形状にも特徴があり、図３及び図４に外観を示す。
うちわ１０は、うちわ本体部１１と柄部１２とからなり、うちわ本体部１１は下部が先細りのＲ形状で上部の先端に向けて末広がりの帆形状になっており、面は前後方向に波形状の弯曲部を有する。
図１に示すようにうちわ１０は、立設部２０に設けた差込部２１に柄部１２を差し込むだけで、立て置きできるようになっている。
図２は、柄部１２ａを丸棒型にし、立設部２０に設けた差し込み部２１ａの凹部に差し込めるようにした例である。
また、図２に示したうちわ１０は、うちわ本体部１１に上下方向の支持骨１１ａを有する例である。
この支持骨１１ａは、面の弯曲形状の維持を強固にしたものであり、支持構造そのものに制限はない。
【００１２】
図５に立設部２０の構造例を示す。
（ａ）は底部側に重量部２２を有し、且つ底面２３にて自立し、左右，前後方向のいずれにも起き上がりこぼしのように揺動するようになっている。
これにより、手で軽く揺らすことも風が当たり、揺れることも可能である。
このように立設部２０に、うちわ１０を立て置きした状態で自立、且つ揺動可能にしたので、図５（ｂ）に示すように内部を空洞にし、その中に転動体３０を収容したり、図５（ｃ）に示すように打りん玉３１を吊り下げることで、うちわ１０が揺れると音が出るようにすることもできる。
【００１３】
デザイン性に優れたうちわ１０と、立て置きできる立設部２０をセットにしたので、うちわとして使用するときには立設部２０から取り出して使用するので、特許文献１，２に示すうちわよりも軽く、使用しやすい。
また、立て置きした場合には、うちわがデザイン性に優れるのでインテリア等として使用でき、機能性にも優れる。
【符号の説明】
【００１４】
１０      うちわ
１１      うちわ本体部
１２      柄部
２０      立設部
２１      差込部
【図１】
0006706825.tif 000002
【図２】
0006706825.tif 000003
【図３】
0006706825.tif 000004
【図４】
0006706825.tif 000005
【図５】
0006706825.tif 000006